(57)【要約】      （修正有）【課題】紙葉類を処理する紙葉類処理装置とこの紙葉類処理装置の処理内容を設定する上位装置とを有する紙葉類処理システムにおいて、全体のスループット向上を実現する。【解決手段】紙葉類を処理する紙葉類処理装置１とこの紙葉類処理装置１の処理内容を設定する上位装置１００とを有する紙葉類処理システムにおいて、上位装置１００が、業務単位の各種の処理設定内容を記憶し、この記憶されている業務単位の各種の処理設定内容を表示し、この表示された業務単位の各種の処理設定内容の一つを選択し、この選択された処理設定内容を紙葉類処理装置１に出力し、上記紙葉類処理装置が、上記上位装置から供給される処理設定内容に基づいて、業務単位の各種の処理設定内容を実行するものである。【選択図】図１
2007058574.tif 000002
【特許請求の範囲】
【請求項１】
紙葉類を処理する紙葉類処理装置とこの紙葉類処理装置の処理内容を設定する上位装置とを有する紙葉類処理システムにおいて、
上記上位装置が、
業務単位の各種の処理設定内容を記憶する記憶手段と、
この記憶手段に記憶されている業務単位の各種の処理設定内容を表示する表示手段と、
この表示された業務単位の各種の処理設定内容の一つを選択する選択手段と、
この選択手段により選択された処理設定内容を上記紙葉類処理装置に出力する出力手段とを有し、
上記紙葉類処理装置が、
上記上位装置から供給される処理設定内容に基づいて、業務単位の各種の処理設定内容を実行する実行手段を有する、
ことを特徴とする紙葉類処理システム。
【請求項２】
上記記憶手段に記憶されている業務単位の各種の処理設定内容があらかじめ設定されていることを特徴とする請求項１に記載の紙葉類処理システム。
【請求項３】
上記記憶手段に記憶されている業務単位の各種の処理設定内容が過去に設定された履歴に対応していることを特徴とする請求項１に記載の紙葉類処理システム。
【請求項４】
上記記憶手段に記憶されている業務単位の各種の処理設定内容が、金種、バッチサイズ、正券・損券、集積先の区分、照合方式であることを特徴とする請求項１に記載の紙葉類処理システム。
【発明の詳細な説明】
【技術分野】
【０００１】
この発明は、複数金種の紙幣を複数枚まとめて投入し、金種別に表裏を揃えて分類して集積する紙幣処理装置等の紙葉類処理装置とこの紙葉類処理装置の処理内容を設定する上位装置とを有する紙葉類処理システムに関する。
【背景技術】
【０００２】
従来、検査機は検査機制御装置より設定された紙葉類の金種、バッチサイズ（処理量）、正券損券の集積先、照合方式をもとに紙葉類を検査・区分して機外排出する装置である。
【０００３】
検査機制御装置の制御方法には、前出の情報を操作者が業務と呼ばれる処理単位ごとに各情報を都度設定を必要とする。
【０００４】
業務と呼ばれる装置の処理単位ごとに金種、バッチサイズ、正券・損券、集積先の区分、照合方式を入力・指定する必要があり、それぞれの入力項目が独立且つ入力数の多さから入力誤りが発生していた。また、入力が都度必要であることから業務と業務の間に時間がかかり、１日単位でのスループットが悪かった。
【特許文献１】特開２００３−０５１０４１
【発明の開示】
【発明が解決しようとする課題】
【０００５】
この発明は、紙葉類に対して良品検査を行い、その検査結果に基づき区分、集積する検査機を制御する画面表示と制御方法の指定を持つ制御装置において、制御方法である金種とバッチサイズと区分と照合方式の制御方法を記憶・復元することにより同様の制御方法の再設定を簡易にすることで入力ミスと設定時間削減により、全体のスループット向上を実現する。
【０００６】
これにより、検査機の制御方法を単動作で指定することにより、複雑な操作が回避され設定ミス等の問題が解消される。また業務と呼ばれる処理単位の切替えに要する処理時間が短縮されるため、全体のスループットが向上される。
【課題を解決するための手段】
【０００７】
この発明は、紙葉類を処理する紙葉類処理装置とこの紙葉類処理装置の処理内容を設定する上位装置とを有する紙葉類処理システムにおいて、上記上位装置が、業務単位の各種の処理設定内容を記憶する記憶手段と、この記憶手段に記憶されている業務単位の各種の処理設定内容を表示する表示手段と、この表示された業務単位の各種の処理設定内容の一つを選択する選択手段と、この選択手段により選択された処理設定内容を上記紙葉類処理装置に出力する出力手段とを有し、上記紙葉類処理装置が、上記上位装置から供給される処理設定内容に基づいて、業務単位の各種の処理設定内容を実行する実行手段を有する。
【発明の効果】
【０００８】
この発明は、紙葉類を処理する紙葉類処理装置とこの紙葉類処理装置の処理内容を設定する上位装置とを有する紙葉類処理システムにおいて、全体のスループット向上を実現する。
【発明を実施するための最良の形態】
【０００９】
以下、この発明の一実施形態について図面を参照して説明する。
【００１０】
図１は、この発明の実施の形態に係る紙幣処理システムの概略構成を示すものである。
【００１１】
この紙幣処理システムは、紙幣処理装置１と紙幣処理装置１を制御する上位装置１００とから構成されている。上位装置１００が制御する紙幣処理装置１は、１台であっても、複数台であっても良い。
【００１２】
紙幣処理装置１は、複数金種のサイズの異なる複数枚の紙幣を混在させて一括して投入し、全ての紙幣の表裏を揃えてその金種別に分類して集積するためのものであり、特定金種の紙幣についてのみ所定枚数毎に紙帯で施封する機能を有するものである。紙幣処理装置１は、基本制御ファームウエアプログラムとダウンロードされた紙幣データとを有している。
【００１３】
上位装置１００は、上記紙幣処理装置１に対して動作（操作）を指示する機能、上記紙幣処理装置１が計数したデータの表示を行う機能を有し、上記指示の設定用の入力部１０１と表示部１０２と全体制御用の制御部１０３からなるパーソナルコンピュータにより構成され、磁気ディスク等の大容量記憶装置１０４を有している。
【００１４】
この大容量記憶装置１０４には、上記紙幣処理装置１で用いる、運転モード設定テーブル１０４ａと、運転モード履歴テーブル１０４ｂが設けられている。たとえば、運転モード設定テーブル１０４ａには、図２に示すように、各運転モードごとの各種設定内容として、券種、照合種別、金種、検知、ＯＣＲ、バッチサイズ、区分先指定が登録されている。運転モード履歴テーブル１０４ｂには、図３に示すように、設定された日時に基づき、券種、照合種別、金種、検知、ＯＣＲ、バッチサイズ、区分先指定が、それぞれ新しく登録された順に登録されている。この履歴は、モード設定画面により各種任意に設定された運転モードを、保存キーの入力により登録するものである。
【００１５】
券種は、銀行券、白紙券（テスト用の券）、特殊券（テスト用の券）の３種があり、通常業務にて検査する券種は銀行券である。白紙券は銀行券と同サイズであるが、券面印刷されていない文字通り白地の券である。銀行券と白紙券は保守員による検査機本体の調整時に使用される。特殊券は先述の銀行券と白紙券に該当しないその他の券種として独自に定義されたものであり、一例をあげると券サイズが異なるなどの特徴がある。
【００１６】
Ａｕｄｉｔとは検査機の検査結果が正または損となった場合に、ランダムにサンプル抽出を行う機能である。
【００１７】
照合も、ノーマル照合とパラレル照合の２つの照合方式がある。
【００１８】
ノーマル照合とは紙幣投入部４に設定した量（バッチサイズ）の銀行券の取出しが完了した時点で、排除された銀行券の枚数を本体付属の入力部１０１により、入力して照合する形態。
【００１９】
パラレル照合とは、紙幣投入部４に設定した量（バッチサイズ）の銀行券の取出しが完了した時点で、次の供給を行い、取出しが行われている間に前回排除された銀行券の枚数を本体付属の入力部１０１より、入力して照合する形態。排除された銀行券の枚数を数えている間も、機械が停止することなく稼動しているためにスループットの向上が見込まれる。
【００２０】
金種は、５ユーロ、１０ユーロ、２０ユーロ、５０ユーロ、１００ユーロ、２００ユーロ、５００ユーロの７金種と、その他１４金種の計２１金種がある。
【００２１】
検知判定は、通常、全正（全て正券）、全損（全て損券）、正損交互（正券と損券が交互）、全鑑査券（Ａｕｄｉｔ）が選択されるようになっている。
【００２２】
ＯＣＲは、チェックを行うか否かの設定が行われる。
【００２３】
バッチサイズは、検査機本体が１動作にて処理する処理量であり、５００００、１０００００、１５００００と最小値１００から最大値５００，０００まで１００単位に設定可能なランダムの４種類から選択するものである。
【００２４】
運転モードは、上位装置１００と接続している通常運転と上位装置１００と接続していない保守運転の２通りがある。
【００２５】
区分先指定は、検査機本体が持つ、５集積を種々の組み合わせで設定可能である。
【００２６】
たとえば、正券、損券、排除券、鑑査券（Ａｕｄｉｔ）、未使用、正券と損券が設定されるものである。
【００２７】
たとえば、運転モードＩとして、券種が「銀行券」、照合種別が「ノーマル」、金種別が「５ユーロ」、検知が「通常」、ＯＣＲが「チェック」、バッチサイズが「５００００」、集積区分１が「正券」、集積区分２が「正券」、集積区分３が「損券」、集積区分４が「損券」、集積区分５が「オーデット」が設定されている。
【００２８】
また、運転モード２として、券種が「銀行券」、照合種別が「ノーマル」、金種別が「１０ユーロ」、検知が「通常」、ＯＣＲが「チェック」、バッチサイズが「５００００」、集積区分１が「正券」、集積区分２が「正券」、集積区分３が「損券」、集積区分４が「損券」、集積区分５が「オーデット」が設定されている。
【００２９】
また、運転モード３として、券種が「銀行券」、照合種別が「パラレル」、金種別が「２０ユーロ」、検知が「通常」、ＯＣＲが「チェック」、バッチサイズが「１０００００」、集積区分１が「損券」、集積区分２が「損券」、集積区分３が「正券」、集積区分４が「正券」、集積区分５が「オーデット」が設定されている。
【００３０】
また、運転モード４として、券種が「銀行券」、照合種別が「パラレル」、金種別が「５０ユーロ」、検知が「通常」、ＯＣＲが「チェック」、バッチサイズが「１０００００」、集積区分１が「損券」、集積区分２が「損券」、集積区分３が「正券」、集積区分４が「正券」、集積区分５が「オーデット」が設定されている。
【００３１】
紙幣処理装置１は、図１に示すように、紙幣処理部２と施封処理部３により構成されている。紙幣処理部２は、紙幣投入部４、紙幣鑑査判別部５、紙幣搬送機構６、６個の一時集積庫７、５個の紙幣集積カセット８、および紙幣部制御部９により構成されている。
【００３２】
施封処理部３は、１００枚区分部１１、集積部１２、集積部１３、受け渡し機構１４、帯巻き機構１５、放出部１６、および施封部制御部１７により構成されている。
【００３３】
紙幣投入部４は、計数する紙幣を投入する部分である。
【００３４】
紙幣鑑査判別部５は、紙幣を光学的、磁気的に鑑査判別する部分である。この紙幣鑑査判別部５は、ＣＰＵ５ａ、記憶素子５ｂ、センサ５ｃ、磁気読取部５ｄを有する。ＣＰＵ５ａは記憶素子５ｂの制御プログラムに基づいて鑑査制御を行うものである。記憶素子５ｂには、紙幣部制御部９から供給される紙幣鑑査プログラムと鑑査に必要な紙幣データが記憶されている。
【００３５】
紙幣搬送機構６は、紙幣を所定の一時集積庫７に搬送する部分である。一時集積庫７は、紙幣集積カセット８に収納するため、紙幣を一時的に集積する部分である。この一時集積庫７には、紙幣の有無をチェックするセンサが設けられている。紙幣集積カセット８は、計数した紙幣を保管するためのカセット部分である。紙幣集積カセット８には、紙幣の有無をチェックするセンサが設けられている。
【００３６】
紙幣部制御部９は、紙幣鑑査判別部５以外の紙幣処理部２を制御する部分である。紙幣部制御部９は、ＣＰＵ２１、記憶装置２２を有している。記憶装置２２には、紙幣処理部２の制御用のファームウエアプログラム及び紙幣処理部２の制御にかかわる紙幣データが格納される。記憶装置２２は、上位装置１００からの紙幣データをダウンロードできる構造である。
【００３７】
上記ＣＰＵ２１は、上位装置１００からの書込みコマンドの受信により紙幣データと紙幣データに係る制御用のファームウエアプログラムを記憶装置２２に一時的に格納（ダウンロード）するものである。
【００３８】
紙幣部制御部９は、記憶装置２２にダウンロードされた紙幣データと紙幣データに係る制御用のファームウエアプログラムに基づいて、紙幣処理部２の制御用のファームウエアプログラム及び紙幣処理部２の制御にかかわる紙幣データと、施封処理部３の制御用のファームウエアプログラム及び施封処理部３の制御にかかわる紙幣データと、紙幣鑑査判別部５の紙幣鑑査プログラムと鑑査に必要な紙幣データとを生成し、対応する各部へ出力するものである。
【００３９】
１００枚区分部１１は、集積部１２、１３のいずれかに対象となる紙幣を連続して区分するものであり、現在、区分して集積している集積部１２、あるいは１３の集積枚数が１００枚となった際に、区分先を変更するものである。集積部１２は、施封動作のために、紙幣を１００枚集積する部分である。紙幣の有無をチェックできるセンサーがある。
【００４０】
集積部１３は、施封動作のために、紙幣を１００枚集積する部分である。紙幣の有無をチェックできるセンサーがある。受け渡し機構１４は、１００枚集積された紙幣を集積部１２、あるいは１３より受け取り、帯巻き機構１５に運ぶ部分である。
【００４１】
帯巻き機構１５は、受け渡し機構１４からの１００枚の紙幣を紙帯で巻き、帯巻きにかかわる情報を帯に印字する部分である。帯巻きの長さデータにより、帯巻きの長さを変更する。また紙幣の種別により印字内容が異なるため、この部分の制御データを多国化対応にする。
【００４２】
放出部１６は、１００枚に結束された紙幣の束を紙幣処理装置１の外部に放出する部分である。施封部制御部１７は、施封処理部３の全てを制御する部分である。施封部制御部１７は、ＣＰＵ２５、記憶装置２６を有している。記憶装置２６には、施封制御ファームウエアプログラム及び施封処理にかかわる紙幣データが格納される。記憶装置２６には、紙幣部制御部９から供給される施封処理部３の制御用のファームウエアプログラム及び施封処理部３の制御にかかわる紙幣データが格納される。
【００４３】
次に、上記のような構成において、紙幣処理システムの通常機能の概略動作を図４に示すフローチャートを参照しつつ説明する。すなわち、処理開始時、オペレータは上位装置１００にて計数する動作モードを設定し（ＳＴ１）、計数紙幣を紙幣投入部４にセットし（ＳＴ２）、上位装置１００より計数動作の開始を指示する（ＳＴ３）。
【００４４】
これにより、紙幣部制御部９は、上位装置１００により設定された動作モードに基づいて、紙幣投入部４より紙幣の取り込み動作を開始し、紙幣鑑査判別部５の鑑査結果により計数動作を行い、紙幣搬送機構６により搬送制御（区分制御）を行う（ＳＴ４）。
【００４５】
そして、施封部制御部１７は、施封処理部３の集積部１２あるいは１３に１００枚集積されたときに（ＳＴ５）、受け渡し機構１４、帯巻き機構１５により施封した束を作成し、放出部１６により放出する（ＳＴ６）。また、紙幣部制御部９は、紙幣投入部４の紙幣ありを判断し（ＳＴ７）、上位装置１００から計数停止要求が供給されておらず（ＳＴ８）、一時集積庫７が満杯になっていないと判断した際に（ＳＴ９）、ステップ４に戻る。
【００４６】
上記ステップ９において、一時集積庫７の満杯を判断した際、紙幣部制御部９は、計数動作を停止した後、計数結果を上位装置１００へ送信する（ＳＴ１０）。これにより、上位装置１００は供給される計数結果を表示する（ＳＴ１１）。
【００４７】
また、紙幣部制御部９は、満杯を判断した一時集積庫７の紙幣を対向する紙幣集積カセット８に収納する（ＳＴ１２）。この後、紙幣部制御部９は、計数動作を再度、自動的に開始し（ＳＴ１３）、ステップ４に戻る。
【００４８】
また、上記ステップ７において、紙幣投入部４の紙幣なしを判断した際、あるいは上記ステップ８において、上位装置１００から計数停止要求が供給されている際、紙幣部制御部９は、計数動作を停止し、計数結果を上位装置１００へ送信する（ＳＴ１４）。これにより、上位装置１００は供給される計数結果を表示する（ＳＴ１５）。
【００４９】
この後、オペレータはさらに計数する紙幣があるか否かを判断し（ＳＴ１６）、計数する紙幣がある場合、ステップ２に戻り、計数紙幣を紙幣投入部４にセットする。また、計数する紙幣がない場合、オペレータは上位装置１００にて計数動作の完了を指示する（ＳＴ１７）。
【００５０】
これにより、紙幣部制御部９は、上位装置１００からの計数動作の完了の指示に基づいて、各一時集積庫７の紙幣を対向する紙幣集積カセット８に収納し（ＳＴ１８）、処理を終了する。
【００５１】
上記動作モードの設定処理を図５に示すフローチャートを参照しつつ説明する。
【００５２】
すなわち、動作モードの設定時、制御部１０３は表示部１０２により、図６に示すような、動作モード設定画面を表示する（ＳＴ２１）。この表示画面に基づいて、運転モード１の選択ボタンにチェックを入れることにより（ＳＴ２２）、制御部１０３は運転モード設定テーブル１０４ａから運転モード１の各種設定内容を読出し、図７に示すように、動作モード設定画面に追加表示する（ＳＴ２３）。
【００５３】
すなわち、運転モードＩとして、券種が「銀行券」、照合種別が「ノーマル」、金種別が「５ユーロ」、検知が「通常」、ＯＣＲが「チェック」、バッチサイズが「５００００」、集積区分１が「正券」、集積区分２が「正券」、集積区分３が「損券」、集積区分４が「損券」、集積区分５が「オーデット」が表示される。
【００５４】
この後、ＯＫキーが入力されることにより、制御部１０３は動作モードの設定処理を終了する。
【００５５】
また、上記ステップ１の表示画面に基づいて、運転モード２の選択ボタンにチェックを入れることにより、制御部１０３は運転モード設定テーブル１０４ａから運転モード２の各種設定内容を読出し、図８に示すように、動作モード設定画面に追加表示する。
【００５６】
すなわち、運転モード２として、券種が「銀行券」、照合種別が「パラレル」、金種別が「１０ユーロ」、検知が「通常」、ＯＣＲが「チェック」、バッチサイズが「ランダムの１００枚」、集積区分１が「損券」、集積区分２が「損券」、集積区分３が「正券」、集積区分４が「正券」、集積区分５が「オーデット」が表示される。
【００５７】
この後、ＯＫキーが入力されることにより、制御部１０３は動作モードの設定処理を終了する。
【００５８】
また、上記ステップ１の表示画面に基づいて、運転モード３の選択ボタンにチェックを入れることにより、制御部１０３は運転モード設定テーブル１０４ａから運転モード３の各種設定内容を読出し、図９に示すように、動作モード設定画面に追加表示する。
【００５９】
すなわち、運転モード３として、券種が「銀行券」、照合種別が「パラレル」、金種別が「２０ユーロ」、検知が「通常」、ＯＣＲが「チェック」、バッチサイズが「ランダムの１００枚」、集積区分１が「損券」、集積区分２が「損券」、集積区分３が「正券」、集積区分４が「正券」、集積区分５が「オーデット」が表示される。
【００６０】
この後、ＯＫキーが入力されることにより、制御部１０３は動作モードの設定処理を終了する。
【００６１】
また、上記ステップ１の表示画面に基づいて、運転モード４の選択ボタンにチェックを入れることにより、制御部１０３は運転モード設定テーブル１０４ａから運転モード２の各種設定内容を読出し、図１０に示すように、動作モード設定画面に追加表示する。
【００６２】
すなわち、運転モード４として、券種が「銀行券」、照合種別が「パラレル」、金種別が「５０ユーロ」、検知が「通常」、ＯＣＲが「チェック」、バッチサイズが「１０００００枚」、集積区分１が「正券」、集積区分２が「正券」、集積区分３が「損券」、集積区分４が「損券」、集積区分５が「オーデット」が表示される。
【００６３】
この後、ＯＫキーが入力されることにより、制御部１０３は動作モードの設定処理を終了する。
【００６４】
また、上記ステップ１の表示画面に基づいて、運転モード履歴の選択ボタンにチェックを入れることにより、制御部１０３は運転モード履歴テーブル１０４ｂから利用履歴の１番新しい運転モードの各種設定内容を読出し、図１１に示すように、動作モード設定画面により表示する。
【００６５】
すなわち、２００５．４．４の１８時の運転モードとして、券種が「銀行券」、照合種別が「ノーマル」、金種別が「１０ユーロ」、検知が「通常」、ＯＣＲが「チェック」、バッチサイズが「ランダムの１０００枚」、集積区分１が「損券」、集積区分２が「損券」、集積区分３が「正券」、集積区分４が「正券」、集積区分５が「オーデット」が表示される。
【００６６】
この後、ＯＫキーが入力されることにより、制御部１０３は動作モードの設定処理を終了する。
【００６７】
また、運転モード履歴として、２００５．４．３の１８時を選択した場合、図１２に示すように、券種が「銀行券」、照合種別が「パラレル」、金種別が「１００ユーロ」、検知が「通常」、ＯＣＲが「チェック」、バッチサイズが「ランダムの１０００枚」、集積区分１が「損券」、集積区分２が「損券」、集積区分３が「正券」、集積区分４が「正券」、集積区分５が「オーデット」が表示される。
【００６８】
この後、ＯＫキーが入力されることにより、制御部１０３は動作モードの設定処理を終了する。
【図面の簡単な説明】
【００６９】
【図１】この発明の一実施形態を説明するための紙葉類処理システムの概略構成を示すブロック図。
【図２】運転モード設定テーブルにおける記憶例を示す図。
【図３】運転モード履歴テーブルにおける記憶例を示す図。
【図４】通常機能の処理を説明するためのフローチャート。
【図５】動作モード設定処理を説明するためのフローチャート。
【図６】動作モード設定画面の表示例を示す図。
【図７】動作モード設定画面の表示例を示す図。
【図８】動作モード設定画面の表示例を示す図。
【図９】動作モード設定画面の表示例を示す図。
【図１０】動作モード設定画面の表示例を示す図。
【図１１】動作モード設定画面の表示例を示す図。
【図１２】動作モード設定画面の表示例を示す図。
【符号の説明】
【００７０】
１…紙幣処理装置  ２…紙幣処理部  １００…上位装置  １０１…入力部  １０２…表示部  １０４…大容量記憶装置  １０４ａ…運転モード設定テーブル  １０４ｂ…運転モード履歴テーブル
【図１】
2007058574.tif 000003
【図２】
2007058574.tif 000004
【図３】
2007058574.tif 000005
【図４】
2007058574.tif 000006
【図５】
2007058574.tif 000007
【図６】
2007058574.tif 000008
【図７】
2007058574.tif 000009
【図８】
2007058574.tif 000010
【図９】
2007058574.tif 000011
【図１０】
2007058574.tif 000012
【図１１】
2007058574.tif 000013
【図１２】
2007058574.tif 000014